(57)【特許請求の範囲】
【請求項１】
同軸ケーブルの芯線と電気的に接続される端子と、該端子を収容する絶縁材からなる端子ホルダと、同軸ケーブルの編組と電気的に接続され、前記端子及び端子ホルダを収容するスリーブとを有する同軸ケーブル用コネクタであって、
前記端子は、前記芯線が接続される接続部に、前記芯線を挿入する接続孔と、
該接続孔近傍に接続部から突起して形成された半田の受け面とを備え、
前記端子ホルダは、前記端子が挿入された状態でこれを保持する係止突起を有する一方、前記端子は、前記接続部の一部を折り返して前記受け面を形成すると共に、折り返すことで形成される開口部を前記係止突起に係合させることを特徴とする同軸ケーブル用コネクタ。
【請求項２】
同軸ケーブルの芯線を挿入して電気的に接続する端子と、該端子を収容する絶縁材からなる端子ホルダと、該端子ホルダの外面に着脱自在に装着される導電性のシールドカバーと、該端子ホルダ及びシールドカバーを収容し、且つ該同軸ケーブルの編組を電気的に接続するスリーブとを備えた同軸ケーブル用コネクタであって、
前記端子は、前記芯線が接続される接続部に、前記芯線を挿入する接続孔と、該接続孔近傍に接続部から突起して形成された半田の受け面とを備え、
前記端子ホルダは、同軸ケーブル挿入方向から該端子を収容するホルダ本体と、該ホルダ本体の端子挿入側に開閉自在に設けられた蓋とを備え、
前記端子ホルダは、前記端子が挿入された状態でこれを保持する係止突起を有する一方、前記端子は、前記接続部の一部を折り返して前記受け面を形成すると共に、折り返すことで形成される開口部を前記係止突起に係合させたことを特徴とする同軸ケーブル用コネクタ。
【請求項３】
請求項１〜請求項２のいずれか１項記載の同軸ケーブル用コネクタの組み付け方法であって、前記端子に同軸ケーブルの芯線を接続するときに、前記受け面に半田こてを載せて半田付けを行うことを特徴とする同軸ケーブル用コネクタの組み付け方法。
【発明の詳細な説明】
【０００１】
【発明の属する技術分野】
本発明は、同軸ケーブル用コネクタとその組付け方法に関し、特に組み付け時における芯線の半田付け作業性を向上させる技術に関する。
【０００２】
【従来の技術】
従来の同軸ケーブル用コネクタとしては、図６，図７に示す、先に本出願人が提案した特願平１０−３２６５４１号に記載の構造のものがある。図６に示す同軸ケーブル用コネクタは、絶縁性の端子ホルダ７１の先端に端子７２を設け、また、ホルダ７１の先端に一体型ヒンジ等を介して開閉可能に設けた二つ割状の蓋７３の一方を閉じた状態とし、ホルダ７１の外周にシールドカバー７４を取付け、このシールドカバー７４を、閉じられた一方の蓋７３の外周を覆った状態で同軸ケーブル５０の先端に延長させた構造である。
【０００３】
この構造における同軸ケーブル５０に対する組付け方法は、図６に示すように、同軸ケーブル５０の芯線５２を端子７２の先端垂直部に形成された接続孔７２ａに通し、この部分に半田こて６０を当てて半田付けした後、他方の蓋７３を閉じ、次いで図７に示すように、スリーブ７９をホルダ７１の外周に挿入し、スリーブ７９の先端圧着部７９ａを同軸ケーブル５０に圧着することで、組立が完了する。
【０００４】
【発明が解決しようとする課題】
しかしながら、この構造の同軸ケーブル用コネクタにあっては、端子７２の半田付けは、垂直面で行うことになるために半田こて６０が当てにくいことがあり、また、半田付けの最中も半田こて６０の先端を固定しにくいため、半田付けの作業性が低下しがちとなる問題があった。
また、半田付け作業時に、溶融した半田が絶縁体（蓋７３等）上に垂れ、絶縁体に孔があいてしまった場合は、芯線５２に余長をつけた場合等にショートする懸念もあった。
【０００５】
本発明は、上記の問題点に鑑みてなされたもので、半田付け作業時に半田こての先端が安定して半田付け面に固定できるようにすることで、半田付けの作業性を向上でき、しかも溶融した半田が垂れることのない同軸ケーブル用コネクタ、及びその組み付け方法を提供することを目的としている。
【０００６】
【課題を解決するための手段】
上記目的達成のため、本発明の請求項１に記載された同軸ケーブル用コネクタは、同軸ケーブルの芯線と電気的に接続される端子と、該端子を収容する絶縁材からなる端子ホルダと、同軸ケーブルの編組と電気的に接続され、前記端子及び端子ホルダを収容するスリーブとを有する同軸ケーブル用コネクタであって、前記端子は、前記芯線が接続される接続部に、前記芯線を挿入する接続孔と、該接続孔近傍に接続部から突起して形成された受け面とを備えたことを特徴とする。
【０００７】
この同軸ケーブル用コネクタでは、同軸ケーブルの芯線が接続される接続部に受け面を突起させて形成することにより、半田こての先端を受け面に支持させた状態で半田付け作業を行うことができ、半田付けの作業性が向上し、半田付け作業を迅速に且つ高品位に行うことができる。また、受け面に溶融した半田が溜まるため、半田の垂れ防止を図ることができ、ショートを生じさせることを未然に防止できる。
【０００８】
請求項２に記載の同軸ケーブル用コネクタは、同軸ケーブルの芯線を挿入して電気的に接続する端子と、該端子を収容する絶縁材からなる端子ホルダと、該端子ホルダの外面に着脱自在に装着される導電性のシールドカバーと、該端子ホルダ及びシールドカバーを収容し、且つ該同軸ケーブルの編組を電気的に接続するスリーブとを備えた同軸ケーブル用コネクタであって、前記端子は、前記芯線が接続される接続部に、前記芯線を挿入する接続孔と、該接続孔近傍に接続部から突起して形成された受け面とを備え、前記端子ホルダは、同軸ケーブル挿入方向から該端子を収容するホルダ本体と、該ホルダ本体の端子挿入側に開閉自在に設けられた蓋とを備えたことを特徴とする。
【０００９】
この同軸ケーブル用コネクタでは、同軸ケーブルの芯線を接続する端子が端子ホルダに挿入され、この端子ホルダをスリーブに装着してシールドカバーを取り付ける構成であって、端子の接続部に形成された接続孔に芯線を挿入すると共に、接続孔近傍に接続部から突起した受け面を形成している。この端子ホルダは、同軸ケーブル挿入方向から端子を収容し、端子挿入側に蓋を開閉自在に設けている。この端子に芯線を接続する際は、端子の受け面に半田こてを載せて半田付け作業を行うことで、半田付けの作業性を向上させることができる。
【００１０】
さらに、請求項１，２に記載の同軸ケーブル用コネクタは、前記端子ホルダは、前記端子が挿入された状態で保持する係止突起を有する一方、前記端子は、前記接続部の一部を折り返して受け面を形成すると共に、折り返すことで形成される開口部を前記係止突起に係合させることを特徴とする。
【００１１】
この同軸ケーブル用コネクタでは、受け面と同時に形成される開口部を係止突起に係合させることにより、受け面を別途形成して組み付ける必要はなく、簡便にして無駄なく設けることが可能となる。
【００１２】
請求項３に記載の同軸ケーブル用コネクタの組み付け方法は、請求項１〜請求項２のいずれか１項記載の同軸ケーブル用コネクタの組み付け方法であって、前記端子に同軸ケーブルの芯線を接続するときに、前記受け面に半田こてを載せて半田付けを行うことを特徴とする。
【００１３】
この同軸ケーブル用コネクタの組み付け方法では、半田こての先端を受け面に支持させた状態で半田付け作業を行うことができるため、半田付けの作業性を向上でき、半田付け作業を迅速に且つ高品位に行うことができる。また、受け面に溶融した半田が溜まるため、半田の垂れ防止を図ることができ、ショートを生じさせることを未然に防止できる。
【００１４】
【発明の実施の形態】
以下、本発明に係る同軸ケーブル用コネクタ及びその組み付け方法の実施の形態を図面を参照して詳細に説明する。
図１は、同軸ケーブル用コネクタ（以降、コネクタと略称する）の断面図で、図２は同コネクタの端子単体を示す斜視図及びＡ−Ａ断面図で、図３は同コネクタの一部分解斜視図である。図１に示すように、本発明に係るコネクタ１００は、端子１０と、端子１０を挿通固定する筒状のホルダ１２と、ホルダ１２の外周部半周を嵌合したスリーブ１４の他に、後述するシールドカバー及び絶縁体からなるアウターカバーとから構成される。
【００１５】
端子１０は、銅等の導電性の良好な金属をプレス成形により作製したもので、図２(a)に示すように、略三角柱状に成形された挿通部１６と、挿通部１６の一方の先端部に延出する底面部１８と、底面部１８の先端に垂直に立ち上げられた半田接合面となる垂直部２０と、垂直部２０に開口された芯線接続孔２２と、垂直部２０の下部中央に開口され、後述する前記ホルダ１２の係止突起（ランス）を係止する開口部２４と、開口部２４の上端に折返しによって形成され、垂直部２０に対して直角に突出する受け面２６とからなっている。
また、挿通部１６には、端子本体の傾斜面から内方に打ち抜かれた接続子１６ａと、図２(b)に示すように端子本体の底面に切り起こされた弾性接触子１６ｂとが形成されている。
【００１６】
ホルダ１２は、絶縁体である合成樹脂等の射出成形体であって、ホルダ１２の本体である円筒部２８と、ホルダ１２の一端側で上半部を開口する蓋３０を備え、端子１０をホルダ１２の内部に挿入可能にしている。
ホルダ１２の円筒部２８には、外周両側部に固定用の溝２８ａが形成されており、蓋３０は円筒部２８の開口部に薄肉ヒンジ３２を介して円筒部２８と一体化されている。また、ホルダ１２の底面の一部には、弾性変形して端子１０を固定するための可撓性を有するランス３４が突設され、端子１０を挿入したときにランス３４が端子１０の開口部２４と係合する。これにより端子１０の挿通状態における位置決めと抜け防止が行なわれる。
このように、ホルダ１２内に端子１０が挿通された状態では、図１に示すように、蓋３２を開状態としたときに端子１０の垂直部２０が外部に露出することになる。
【００１７】
スリーブ１４は、一端側で上半部が開口された略円筒形状であって、開口側の先端に突設された一対の編組加締片３６及びシース加締片３８と、スリーブ円筒部に設けられスリーブ内方向に突起してホルダ１２の溝２８ａと係合するホルダ位置決め片４０と、スリーブ円筒部に形成されたホルダ係合片４２とからなる。スリーブ１４内にホルダ１２を挿入する際、ホルダ位置決め片４０によってホルダ１２が位置決めされ、固定される。
【００１８】
コネクタ１００は、以上の組み立て状態で、同軸ケーブル５０に対する組付け作業がなされる。次にコネクタ１００の同軸ケーブル５０への組み付け方法について説明する。
この組付け手順としては、まず図４(a)に示すように、例えばシュロニガー皮むき機等を用いて、同軸ケーブル５０の端部を所定の長さ比で芯線５２、内皮５４、編組５６の順で外皮５８を剥く。
次に、図４(b)に示すように、芯線５２を治具で挟み込み、波形の余長をつける（図１参照）。
そして、図４(c)に示すように、前述のように組み立てられたコネクタ１００に同軸ケーブル５０の先端を挿通する。この挿通作業により、芯線５２の先端は端子１０の垂直部２０に形成した挿通孔２２に挿通される。ここで、図４(d)に示すように、編組加締片３６及びシース加締片３８を同軸ケーブル５０に加締める。
【００１９】
次に、この段階で半田付け作業を行う。即ち、図5(e)に示すように、半田こて６０の先端を端子１０の垂直部２０に斜め方向から押し当てて半田付けを行う（図１参照）。このとき、半田こて６０の先端を端子１０の垂直部２０と受け面２６との角部に押し付けることで、半田こて６０を安定して保持することができる。このため、半田付けの作業性が格段に向上し、半田付け不良の発生頻度が大幅に低下する。また、余剰となった半田は受け面２６に付着するため、受け面２６より下方に垂れ落ちることがなくなり、半田によってホルダ１２が溶融したり、これによるショート発生等の不具合発生も未然に防止できる。
【００２０】
この半田付け作業後は、蓋３２を閉じ、図５(f)に示すように、ホルダ１２上に前述のシールドカバー６２を被せ、図５(g)に示すように、予め同軸ケーブル５０に挿通しておいた前述の絶縁材からなるアウターカバー６４を移動させて前記組立体の外周に装着すれば、図５(h)に示すようにコネクタの組み付け作業が完了する。
【００２１】
ここで、端子１０の受け面２６は、開口部２４を形成するために端子の垂直部２０を垂直に折り返して形成するため、受け面２６を別途形成して組み付ける必要はなく、簡便にして無駄なく設けることが可能となる。
【００２２】
以上詳細に説明したように、本発明の同軸ケーブル用コネクタでは、端子１０の垂直部２０に、該垂直部２０に対して直角方向に突出する受け面を形成することにより、端子の芯線接続孔２２に同軸ケーブル５０の芯線５２を半田付けする際に、半田こて６０の先端を端子の受け面２６上に載せることが可能となり、半田こて６０を安定して保持できるようになる。以て、半田付けの作業性を向上でき、半田付け作業を迅速に且つ高品位に行うことができる。また、受け面２６に溶融した半田が溜まるため、半田の垂れ防止を図ることができ、溶融半田の滴下に起因するショートを未然に防止できる。
【００２３】
【発明の効果】
本発明に係る同軸ケーブル用コネクタ及びその組み付け方法では、同軸ケーブルの芯線が接続される端子の接続部に、芯線を挿入する接続孔と、接続孔近傍に接続部から突起して形成された受け面とを備えている。この構成により、端子に芯線を半田付けする際に、半田こての先端を受け面に載せることにより、安定して半田付け位置に保持できるため、半田付けの作業性を向上でき、しかも、溶融した半田が垂れ落ちることにより絶縁性が阻害されることをなくすことができる。また、前記受け面と同時に形成される開口部をホルダの係止突起に係合させることにより、簡便にして無駄のない構成となっている。
【図面の簡単な説明】
【図１】本発明に係る同軸ケーブル用コネクタの断面図である。
【図２】同軸ケーブル用コネクタの端子単体を示す斜視図及びＡ−Ａ断面図である。
【図３】同軸ケーブル用コネクタの一部分解斜視図である。
【図４】同軸ケーブル用コネクタの組み付け手順を示す説明図である。
【図５】同軸ケーブル用コネクタの組み付け手順を示す説明図である。
【図６】従来の同軸ケーブル用コネクタの半田付け状態を示す図である。
【図７】従来の同軸ケーブル用コネクタの組み付け後の断面図である。
【符号の説明】
１０  端子
１２  端子ホルダ
１４  スリーブ
２０  垂直部
２２  芯線挿通孔
２４  開口部
２６  受け面
３２  蓋
３４ａ  係止突起
５０  同軸ケーブル
５２  芯線
６０  半田ごて
６２  シールドカバー
【図１】
0003741349.tif 000002
【図２】
0003741349.tif 000003
【図３】
0003741349.tif 000004
【図４】
0003741349.tif 000005
【図５】
0003741349.tif 000006
【図６】
0003741349.tif 000007
【図７】
0003741349.tif 000008